(57)【要約】【課題】本発明は、音声記録を伴う動画撮影時に、フォーカスレンズの駆動音が雑音として録音されてしまう現象を回避しながら、ＡＦ処理によるピントの合った動画記録を実現する撮像装置を提供する。【解決手段】マイク７１から入力された周囲の音を音声データとしてメモリ３０に蓄積し、蓄積された音声データの音圧レベルと、フォーカスレンズの駆動速度とフォーカスレンズを駆動したことで発生する騒音の特性の少なくとも一方に基づき、フォーカスレンズの駆動条件を決定する。【選択図】図６
2010160323.tif 000002
【特許請求の範囲】
【請求項１】
被写体を撮像する撮像手段と、前記撮像手段による撮影時にフォーカスレンズの駆動を制御するフォーカス制御手段と、前記撮像手段による撮影時に周囲の音を入力する音声入力手段とを備える撮像装置において、
前記入力された周囲の音を音声データとして蓄積する蓄積手段と、
前記フォーカスレンズの駆動速度と前記フォーカスレンズを駆動したことで発生する騒音の特性を格納する格納手段と、
前記蓄積された音声データの音圧レベルおよび前記騒音の特性の少なくとも一方に基づき、前記フォーカスレンズの駆動条件を決定する制御手段とを備えることを特徴とする撮像装置。
【請求項２】
前記蓄積手段から取得した音声データに基づいて、所定の音圧レベル以上の周囲音が一定の時間以上検出されたと判断した場合は騒音状態と判断する一方、所定の音圧レベル未満の周囲音が一定の時間以上検出されたと判断した場合は静音状態と判断する第１の判断手段と、
前記騒音の特性に規則性があるか否かを判断する第２の判断手段とを備えることを特徴とする請求項１記載の撮像装置。
【請求項３】
前記第１の判断手段は、前記取得した音声データの音圧レベルが短時間のうちに突発的に変化したと判断した場合、前記騒音状態および前記静音状態とは判断しないことを特徴とする請求項２記載の撮像装置。
【請求項４】
前記第１の判断手段が騒音状態と判断した場合および前記第１の判断手段が静音状態と判断し且つ前記第２の判断手段が前記騒音の特性に規則性があると判断した場合には、前記フォーカス制御手段によるフォーカスレンズ駆動時の発生騒音が前記周囲音よりも低くなるように前記フォーカスレンズの駆動条件を設定することを特徴とする請求項２または３記載の撮像装置。
【請求項５】
前記第１の判断手段が静音状態と判断し且つ前記第２の判断手段が前記騒音の特性に規則性がないと判断した場合には、前記フォーカスレンズの駆動速度が一定になる前記フォーカスレンズの駆動条件を設定することを特徴とする請求項２または３記載の撮像装置。
【請求項６】
前記蓄積手段に一定量の音声データが蓄積されたかを判別する音声データ蓄積量判別手段を更に備え、
前記制御手段は、前記音声データ蓄積量判別手段が前記蓄積手段に一定量の音声データが蓄積されていないと判断した場合、前記フォーカスレンズの駆動を停止するように前記フォーカスレンズの駆動条件を設定することを特徴とする請求項１乃至５のいずれか１項に記載の撮像装置。
【請求項７】
前記制御手段は、前記騒音状態から前記静音状態へ変化したと判断した場合は、前記フォーカス制御手段が直ちにフォーカスレンズの駆動を停止するように制御するか、または所定のフォーカス制御が終わった時点でフォーカスレンズの駆動を停止するように制御することを特徴とする請求項２乃至６のいずれか１項に記載の撮像装置。
【請求項８】
被写体を撮像する撮像手段と、前記撮像手段による撮影時にフォーカスレンズの駆動を制御するフォーカス制御手段と、前記撮像手段による撮影時に周囲の音を入力する音声入力手段とを備える撮像装置の制御方法において、
前記入力された周囲の音を音声データとして蓄積手段に蓄積する蓄積工程と、
前記フォーカスレンズの駆動速度と前記フォーカスレンズを駆動したことで発生する騒音の特性を記憶手段に格納する格納工程と、
前記蓄積された音声データの音圧レベルおよび前記騒音の特性の少なくとも一方に基づき、前記フォーカスレンズの駆動条件を決定する制御工程とを備えることを特徴とする制御方法。
【請求項９】
前記蓄積手段から取得した音声データに基づいて、所定の音圧レベル以上の周囲音が一定の時間以上検出されたと判断した場合は騒音状態と判断する一方、所定の音圧レベル未満の周囲音が一定の時間以上検出されたと判断した場合は静音状態と判断する第１の判断工程と、
前記騒音の特性に規則性があるか否かを判断する第２の判断工程とを備えることを特徴とする請求項８記載の制御方法。
【請求項１０】
前記第１の判断工程は、前記取得した音声データの音圧レベルが短時間のうちに突発的に変化したと判断した場合、前記騒音状態および前記静音状態とは判断しないことを特徴とする請求項９記載の制御方法。
【請求項１１】
前記第１の判断工程が騒音状態と判断した場合および前記第１の判断工程で静音状態と判断し且つ前記第２の判断工程で前記騒音の特性に規則性があると判断した場合には、前記フォーカス制御手段によるフォーカスレンズ駆動時の発生騒音が前記周囲音よりも低くなるように前記フォーカスレンズの駆動条件を設定することを特徴とする請求項９または１０記載の制御方法。
【請求項１２】
前記第１の判断工程で静音状態と判断し且つ前記第２の判断工程で前記騒音の特性に規則性がないと判断した場合には、前記フォーカスレンズの駆動速度が一定になる前記フォーカスレンズの駆動条件を設定することを特徴とする請求項９または１０記載の制御方法。
【請求項１３】
前記蓄積手段に一定量の音声データが蓄積されたかを判別する音声データ蓄積量判別工程を更に備え、
前記制御工程は、前記音声データ蓄積量判別工程で前記蓄積手段に一定量の音声データが蓄積されていないと判断した場合、前記フォーカスレンズの駆動を停止するように前記フォーカスレンズの駆動条件を設定することを特徴とする請求項８乃至１２のいずれか１項に記載の制御方法。
【請求項１４】
前記制御工程は、前記騒音状態から前記静音状態へ変化したと判断した場合は、前記フォーカス制御手段が直ちにフォーカスレンズの駆動を停止するように制御するか、または所定のフォーカス制御が終わった時点でフォーカスレンズの駆動を停止するように制御することを特徴とする請求項９乃至１３のいずれか１項に記載の制御方法。
【請求項１５】
請求項８乃至１４のいずれか１項に記載の制御方法をコンピュータに実行させるためのコンピュータに読み取り可能なプログラム。
【発明の詳細な説明】
【技術分野】
【０００１】
本発明は、撮像装置及びその制御方法、並びにプログラムに関し、特に、自動焦点調節機能を備えたカメラに好適な撮像装置及びその制御方法、並びにプログラムに関する。
【背景技術】
【０００２】
従来、動画撮影が可能なデジタルカメラ等の撮像装置では、動画の撮影と共にＡＦ動作が実行されるときに、フォーカスレンズのレンズ駆動音などの雑音が音声と共にノイズとして記録されてしまうという問題があった。
【０００３】
そこで、内蔵マイクで音声記録を行う第一の動画記録モードのときには動画記録中のズームレンズ駆動とフォーカスレンズ駆動を禁止する。一方、外付けマイクで音声記録を行う第二の動画記録モードのときには動画記録中のズームレンズ駆動とフォーカスレンズ駆動を行う技術が提案されている（例えば、特許文献１参照）。これにより、動画記録時にレンズ駆動音が雑音として記録されてしまうのを防止することができる。
【０００４】
また、動画記録前にオートフォーカス動作を実行し、動画記録中は撮影者の指示があったときにのみＡＦ動作を実行するよう制御することで、フォーカスレンズの駆動音が雑音として記録されてしまうのを最小限に抑える技術が提案されている（特許文献２参照）。
【先行技術文献】
【特許文献】
【０００５】
【特許文献１】特開２００３−３４８４３４号公報
【特許文献２】特開２００２−１０１２３号公報
【発明の概要】
【発明が解決しようとする課題】
【０００６】
しかしながら、特許文献１に記載のデジタルカメラでは、動画記録時にレンズ駆動音が雑音として記録されてしまうのを防止するために、必ず外付けマイクを用いなくてはならない。
【０００７】
また、特許文献２に記載のデジタルカメラにおいては、ユーザーからの指示が無い場合に、被写体との距離が大きく変化したときにはピントのぼけた画像を撮影することになる。また、ユーザー指示のあった場合にはピント合わせを行うことができるが、レンズ駆動音が雑音として記録されてしまうのを回避することができず、動画撮影の性能が低下してしまうという問題がある。
【０００８】
本発明は、音声記録を伴う動画撮影時に、フォーカスレンズの駆動音が雑音として録音されてしまう現象を回避しながら、ＡＦ処理によるピントの合った動画記録を実現する撮像装置及びその制御方法、並びにプログラムを提供することを目的とする。
【課題を解決するための手段】
【０００９】
上記目的を達成するために、請求項１記載の撮像装置は、被写体を撮像する撮像手段と、前記撮像手段による撮影時にフォーカスレンズの駆動を制御するフォーカス制御手段と、前記撮像手段による撮影時に周囲の音を入力する音声入力手段とを備える撮像装置において、前記入力された周囲の音を音声データとして蓄積する蓄積手段と、前記フォーカスレンズの駆動速度と前記フォーカスレンズを駆動したことで発生する騒音の特性を格納する格納手段と、前記蓄積された音声データの音圧レベルおよび前記騒音の特性の少なくとも一方に基づき、前記フォーカスレンズの駆動条件を決定する制御手段とを備えることを特徴とする。
【００１０】
上記目的を達成するために、請求項８記載の撮像装置の制御方法は、被写体を撮像する撮像手段と、前記撮像手段による撮影時にフォーカスレンズの駆動を制御するフォーカス制御手段と、前記撮像手段による撮影時に周囲の音を入力する音声入力手段とを備える撮像装置の制御方法において、前記入力された周囲の音を音声データとして蓄積手段に蓄積する蓄積工程と、前記フォーカスレンズの駆動速度と前記フォーカスレンズを駆動したことで発生する騒音の特性を記憶手段に格納する格納工程と、前記蓄積された音声データの音圧レベルおよび前記騒音の特性の少なくとも一方に基づき、前記フォーカスレンズの駆動条件を決定する制御工程とを備えることを特徴とする。
【発明の効果】
【００１１】
本発明によれば、音声の記録を伴う動画撮影時に、フォーカスレンズを駆動することによるモーターやギアの機械音が雑音として録音されてしまう現象を回避しながら、ＡＦ処理によるピントの合った動画記録を実現することができる。
【図面の簡単な説明】
【００１２】
【図１】本発明の実施形態に係る撮像装置の機能構成を示すブロック図である。
【図２】図１の撮像装置１００における動画撮影時の制御処理の一例を示すフローチャート（その１）である。
【図３】図１の撮像装置１００における動画撮影時の制御処理の一例を示すフローチャート（その２）である。
【図４】図１の撮像装置１００における動画撮影時の制御処理の一例を示すフローチャート（その３）である。
【図５】図４のステップＳ４０５における動画撮影中のコンティニュアスＡＦ処理の詳細を示すフローチャートである。
【図６】図５のステップＳ５０２におけるコンティニュアスＡＦを行うためのフォーカスレンズの駆動条件の決定処理の詳細を示すフローチャートである。
【図７】サンプリングされた音声データの音圧レベルと時間経過の様子の一例を示す図である。
【図８】サンプリングされた音声データの音圧レベルと時間経過の様子の他の一例を示す図である。
【図９】サンプリングされた音声データの音圧レベルと時間経過の様子のさらに他の一例を示す図である。
【図１０】フォーカスレンズの駆動速度とフォーカスレンズ駆動時の発生騒音との関係の一例を示す図である。
【図１１】図１０に示す特性に基づき周囲音（外部騒音）に対してフォーカスレンズの駆動速度を変更した場合の一例を示す図である。
【図１２】特殊騒音区間を有するフォーカスレンズの駆動速度とフォーカスレンズ駆動時の発生騒音の特性の一例を示す図である。
【図１３】図１２に示す特性に基づき周囲音（外部騒音）に対してフォーカスレンズの駆動速度を変更した場合の一例を示す図である。
【図１４】フォーカスレンズの駆動速度を遅く制御しても発生騒音が減少しないフォーカスレンズの駆動速度とフォーカスレンズ駆動時の発生騒音との関係の一例を示す図である。
【図１５】規則性が認められないフォーカスレンズの駆動速度とフォーカスレンズ駆動時の発生騒音との関係の一例を示す図である。
【発明を実施するための形態】
【００１３】
以下、本発明の実施の形態を図面を参照して詳細に説明する。
【００１４】
図１は、本発明の実施形態に係る撮像装置の機能構成を示すブロック図である。
【００１５】
図１において、１００は撮像装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。１８は、撮像素子１４、Ａ／Ｄ変換器１６、及びＤ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ或いはメモリ制御回路２２からのデータに対して所定の画素補間処理や色変換処理を行う。また、画像処理回路２０では、撮像した画像データを用いて所定の演算処理が行われ、得られた演算結果に基づいてシステム制御回路５０が露光制御手段４０、測距制御手段４２に対して制御を行う。また、ＴＴＬ（スルー・ザ・レンズ）方式のＡＦ（オートフォーカス）処理、ＡＥ（自動露出）処理、ＥＦ（フラッシュプリ発光）処理が行われる。さらに、画像処理回路２０では、撮像した画像データを用いて所定の演算処理が行われ、得られた演算結果に基づいてＴＴＬ方式のＡＷＢ（オートホワイトバランス）処理も行われる。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１８】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００１９】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００２０】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２１】
４０は絞り機能を備えるシャッター１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６はバリアである保護手段１０２の動作を制御するバリア制御手段である。４８はフラッシュであり、ＡＦ補助光の投光機能、フラッシュ調光機能も有する。
【００２２】
露光制御手段４０及び測距制御手段４２は、ＴＴＬ方式を用いて制御されており、撮像した画像データを画像処理回路２０によって演算した演算結果に基づき、システム制御回路５０が露光制御手段４０及び測距制御手段４２に対して制御を行う。
【００２３】
５０は撮像装置１００全体を制御するシステム制御回路、５２はシステム制御回路５０の動作用の定数、変数、プログラム等を記憶するメモリである。メモリ５２は、ＡＥ処理で用いられるプログラム線図も格納している。プログラム線図は、露出値に対する絞り開口径とシャッター速度の制御値の関係を定義したテーブルである。
【００２４】
５４はシステム制御回路５０でのプログラムの実行に応じて、文字、画像、音声等を用いて動作状態やメッセージ等を表示する液晶表示装置、スピーカー等の表示部である。表示部５４は、撮像装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００２５】
表示部５４の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示がある。また、フラッシュ表示、赤目緩和表示、マクロ撮影表示、ブザー設定表示、時計用電池残量表示、電池残量表示、エラー表示、複数桁の数字による情報表示、記録媒体２００，２１０の着脱状態表示、通信Ｉ／Ｆ動作表示、日付け・時刻表示等がある。
【００２６】
また、表示部５４の表示内容のうち、光学ファインダー１０４内に表示するものとしては、合焦表示、手振れ警告表示、フラッシュ充電表示、シャッタースピード表示、絞り値表示、露出補正表示等がある。
【００２７】
５６は電気的に消去・記録可能な不揮発性メモリであり、例えばＥＥＰＲＯＭ等が用いられる。
【００２８】
６０，６１，６２，６４，６６及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２９】
ここで、これらの操作手段の具体的な説明を行う。
【００３０】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。６１は動画ボタンで、動画撮影の開始と終了を指示することができる。動画撮影されていないときに押下されると動画撮影開始となり、動画撮影中に押下されると動画撮影終了となる。
【００３１】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００３２】
６４は撮像装置１００に動作開始を指示するシャッタースイッチＳＷ２であり、不図示のシャッターボタンの操作完了でＯＮとなる。
【００３３】
シャッタースイッチＳＷ２＿６４が押されると、露光処理、画像処理回路２０やメモリ制御回路２２での現像処理、メモリ３０から読み出した画像データに圧縮・伸長回路３２で圧縮を行い、記録媒体２００等に記録するという一連の処理が実行される。露光処理は、撮像素子１４から読み出した信号をＡ／Ｄ変換器１６、メモリ制御回路２２を介してメモリ３０に画像データとして書き込む処理である。
【００３４】
７０は各種ボタンやタッチパネル等からなる操作部である。操作部７０には、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタンが配置されている。また、再生画像移動＋（プラス）ボタン、再生画像−（マイナス）ボタン、撮影画質選択ボタン、露出補正ボタン、日付／時間設定ボタン等が配置されている。
【００３５】
７１は音声を含む周囲の音を取り込んで音声信号を出力する撮像装置本体に内蔵されたマイクロフォンとＡ／Ｄ変換器を組み合わせたマイク（音声入力装置）である。システム制御回路５０からの制御信号に基づき、マイク７１が出力した音声信号をＡ／Ｄ変換し、その結果得られた音声データを記録部２０２又は記録部２１２に出力する。また、得られた音声データは、メモリ３０内にＦＩＦＯ方式で一定量が蓄積される。
【００３６】
８０は電源制御手段で、電池検出回路、ＤＣ−ＤＣコンバータ、通電するブロックを切り替えるスイッチ回路等により構成されている。電源制御手段８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３７】
８２はコネクタ、８４はコネクタ、８６はアルカリ電池やリチウム電池等の一次電池やＢＮｉＣｄ電池やＮｉＭＨ電池、Ｌｉ電池等の二次電池、ＡＣアダプター等からなる電源手段である。
【００３８】
９０，９４はメモリカードやハードディスク等の記録媒体とのインターフェース、９２，９６はメモリカードやハードディスク等の記録媒体と接続を行うコネクタである。９８は、コネクタ９２及び／或いはコネクタ９６に記録媒体２００或いは記録媒体２１０が装着されているか否かを検知する記録媒体着脱検知手段である。
【００３９】
なお、本実施形態では、記録媒体を取り付けるインターフェース及びコネクタを2系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００４０】
インターフェース及びコネクタとしては、ＰＣＭＣＩＡカードやＣＦ（コンパクトフラッシュ(登録商標)）カード等の規格に準拠したものを用いて構成して構わない。
【００４１】
さらに、インターフェース９０，９４、そしてコネクタ９２，９６をＰＣＭＣＩＡカードやＣＦ（コンパクトフラッシュ(登録商標)）カード等の規格に準拠したものを用いて構成してもよい。この場合、ＬＡＮやモデム、ＵＳＢ、ＩＥＥＥ１３９４、Ｐ１２８４、ＳＣＳＩ、ＰＨＳ等の各種通信カードを接続することにより、他のコンピュータやプリンタ等の周辺機器との間で画像データや画像データに付属した管理情報を転送し合うことができる。
【００４２】
１０２は、撮像装置１００内の撮影レンズ１０を含む撮像部を覆うことにより、撮像部の汚れや破損を防止するバリアである保護手段である。１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００４３】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０により撮像装置１００を他の機器と接続するコネクタ或いは無線通信の場合はアンテナである。
【００４４】
２００はメモリカードやハードディスク等の記録媒体である。記録媒体２００は、半導体メモリや磁気ディスク等から構成される記録部２０２、撮像装置１００とのインターフェース２０４、撮像装置１００と接続を行うコネクタ２０６を備えている。
【００４５】
２１０はメモリカードやハードディスク等の記録媒体である。記録媒体２１０は、半導体メモリや磁気ディスク等から構成される記録部２１２、撮像装置１００とのインターフェース２１４、撮像装置１００と接続を行うコネクタ２１６を備えている。
【００４６】
次に、撮像装置１００における動画撮影時の制御処理について説明する。
【００４７】
図２〜図４は、図１の撮像装置１００における動画撮影時の制御処理の一例を示すフローチャートである。
【００４８】
電池交換等の電源投入により、システム制御回路５０は、フラグや制御変数等を初期化し（ステップＳ２０１）、画像表示部２８の画像表示をＯＦＦ状態に初期設定する（ステップＳ２０２）。
【００４９】
システム制御回路５０は、モードダイアルスイッチ６０の設定位置を判断し、モードダイアルスイッチ６０が電源ＯＦＦに設定されていると判断した場合（ステップＳ２０３で電源ＯＦＦ）、終了処理（ステップＳ２０５）を行った後、ステップＳ２０３に戻る。終了処理では、各表示部の表示を終了状態に変更し、保護手段１０２のバリアを閉じ、フラグや制御変数等を含む必要なパラメータや設定値、設定モードを不揮発性メモリ５６に記録し、電源制御手段８０により装置内各部の不要な電源を遮断する等が行われる。
【００５０】
一方、システム制御回路５０は、モードダイアルスイッチ６０が撮影モードに設定されていると判断した場合（ステップＳ２０３で撮影モード）、ステップＳ２０６に進む。さらに、システム制御回路５０は、モードダイアルスイッチ６０がその他のモードに設定されていると判断した場合（ステップＳ２０３でその他のモード）、選択されたモードに応じた処理を実行し（ステップＳ２０４）、処理を終えたならばステップＳ２０３に戻る。
【００５１】
ステップＳ２０６では、システム制御回路５０は、電源制御手段８０により電池等により構成される電源８６の残容量や動作情況が撮像装置１００の動作に問題があるか否かを判断する（ステップＳ２０６）。この結果、問題があると判断したときは（ステップＳ２０６でＮＯ）、システム制御回路５０は、表示部５４を用いてメッセージ画像の表示や音声により所定の警告（ステップＳ２０８）を行った後に、ステップＳ２０３に戻る。
【００５２】
一方、電源８６に問題が無いと判断した場合、システム制御回路５０は、記録媒体２００或いは２１０の動作状態が撮像装置１００の動作、特に記録媒体に対する画像データの記録再生動作に問題があるか否かを判断する（ステップＳ２０７）。この結果、問題があると判断した場合（ステップＳ２０７でＮＯ）、システム制御回路５０は、表示部５４を用いてメッセージ画像の表示や音声により所定の警告（ステップＳ２０８）を行った後に、ステップＳ２０３に戻る。
【００５３】
一方、記録媒体２００或いは２１０の動作状態に問題が無いと判断した場合（ステップＳ２０７でＹＥＳ）、ステップＳ２０９に進む。ステップＳ２０９では、システム制御回路５０は、スルー画像（静止画を撮影する前後にファインダー機能として表示させるための撮像素子１４によって撮像された動画像）を画像表示部２８に表示するための撮影準備の初期化を行う。準備が完了したときは、スルー画像を画像表示部２８に表示開始する（ステップＳ２１０）。
【００５４】
スルー画像の表示状態時には、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示する。これにより、電子ファインダー機能が実現される。
【００５５】
次に、スルー画像の表示状態における動画撮影時のカメラ動作について図３〜図６を参照しながら説明する。
【００５６】
図３において、システム制御回路５０は、モードダイアルスイッチ６０の設定位置を判断し、モードダイアルスイッチ６０の設定位置が変更されたと判断したときは（ステップＳ３０１で変更あり）、図２のステップＳ２０３に戻る。そして、モードダイアルスイッチ６０の状態をチェックする。
【００５７】
一方、モードダイアルスイッチ６０の設定位置が変更されていないと判断したときは（ステップＳ３０１で変更なし）、システム制御回路５０は、動画ボタン６１が押下されたか否かを判断する（ステップＳ３０２）。動画ボタン６１が押されていないと判断したときは（ステップＳ３０２でＯＦＦ）、スルー画像表示を継続して行うための処理を行う。この処理では、画像処理回路２０が撮像素子１４から得られた信号に対して所定の測光演算を行い、その演算結果をメモリ３０に格納する。システム制御回路５０は、この演算結果を元に露光制御手段４０を用いてスルー画像に対するＡＥ処理を行う（ステップＳ３０４）。その後、ステップＳ３０１に戻る。
【００５８】
一方、ステップＳ３０２において動画ボタン６１が押されたと判断したときは（ステップＳ３０２でＯＮ）、画像処理回路２０が撮像素子１４から得られた信号に対して所定の測距演算を行い、その演算結果をメモリ３０に格納する。そして、システム制御回路５０は、この測距演算結果を元に測距制御手段４２を用いてＡＦ処理（ステップＳ３０５）を行い、撮影レンズ１０の焦点を被写体に合わせる。
【００５９】
次に、ステップＳ３０６では、画像処理回路２０が撮像素子１４から得られた信号に対して測光演算を行い、測光結果をメモリ３０に格納する。ステップＳ３０７では、システム制御回路５０は、一連の撮影動作を行う動画撮影処理を実行する。撮影処理後、メモリ３０には、撮像素子１４からＡ／Ｄ変換器１６を通して読み出された信号処理前の未処理画像データが保存されている。そして、ＪＰＥＧなどの所定の現像及び圧縮処理が行われ、処理後の画像データがメモリ３０内に保存される。システム制御回路５０は、メモリ３０に保存された圧縮画像データを動画ファイルとして記録媒体２００へ書き込み、ステップＳ３０８に進む。ステップＳ３０８では、システム制御回路５０は、ステップＳ３０７で撮像された画像をスルー画像として画像表示部２８に表示して、動画撮影の開始処理を完了する。
【００６０】
図４において、システム制御回路５０は、モードダイアルスイッチ６０の設定位置を判断し、モードダイアルスイッチ６０の設定位置が変更されたと判断したときは（ステップＳ４０１で変更あり）、動画撮影処理を終了して図２のステップＳ２０３に戻る。そして、モードダイアルスイッチ６０の状態をチェックする。
【００６１】
一方、モードダイアルスイッチ６０の設定位置が変更されていないと判断したときは（ステップＳ４０１で変更なし）、システム制御回路５０は、動画ボタン６１が押下されたか否かを判断する（ステップＳ４０２）。動画ボタン６１が押されたと判断した場合（ステップＳ４０２でＯＮ）、動画撮影処理を終了してステップＳ２０３に戻り、モードダイアルスイッチ６０の状態をチェックする。
【００６２】
一方、ステップＳ４０２において、動画ボタン６１が押されていないと判断した場合、ステップＳ４０３に進み、システム制御回路５０は、動画撮影処理を継続する。
【００６３】
ステップＳ４０３では、システム制御回路５０は、一連の撮影動作を行う動画撮影処理を実行する。撮影処理後、メモリ３０には、撮像素子１４からＡ／Ｄ変換器１６を通して読み出された信号処理前の未処理画像データが保存される。
【００６４】
ステップＳ４０４では、画像処理回路２０が撮像素子１４から得られた信号に対して所定の測光演算を行い、その演算結果をメモリ３０に格納する。システム制御回路５０は、この演算結果を元に露光制御手段４０を用いてＡＥ処理を行う。
【００６５】
ステップＳ４０５では、システム制御回路５０は、コンティニュアスＡＦ（ＣｏｎｔｉＡＦ）を行う。合焦動作を１回行うオートフォーカス制御のことをシングルＡＦ（ＳｉｎｇｌｅＡＦ）と呼び、継続的に合焦動作を行うオートフォーカス制御のことをコンティニュアスＡＦ（ＣｏｎｔｉＡＦ）と呼ぶ。撮像装置１００は、コンティニュアスＡＦ処理を直ちに停止する第１のモードと、ピーク位置を見つけて合焦した時点でコンティニュアスＡＦ処理を停止する第２のモードの２つのモードを備えている。コンティコンティニュアスＡＦ処理の詳細については後述する。コンティコンティニュアスＡＦ処理のモードについては図６にて後述する。
【００６６】
ステップＳ４０６では、システム制御回路５０は、ステップＳ４０３で撮像された画像をスルー画像として画像表示部２８に表示する。ステップＳ４０７では、メモリ３０に保存された画像データに対してＪＰＥＧなどの所定の現像及び圧縮処理が行われ、処理後の画像データがメモリ３０内に保存される。メモリ３０に保存された圧縮画像データが動画ファイルとして記録媒体２００へ書き込まれる。このとき、動画用ホワイトバランス制御値と静止画用ホワイトバランス制御値生成用補正係数がヘッダ情報として映像と共に記録される。最後に、ステップＳ４０１に戻り、動画撮影処理を継続する。
【００６７】
図５は、図４のステップＳ４０５における動画撮影中のコンティニュアスＡＦ処理の詳細を示すフローチャートである。
【００６８】
図５において、ステップＳ５０１では、システム制御回路５０は、マイク７１から入力され、メモリ３０に蓄積されている音声データのサンプリングを行う。動画撮影中には、マイク７１が周期的に周囲音の入力を行い、音声データが一定量になるように、メモリ３０に継続してＦＩＦＯ方式で蓄積される。
【００６９】
ステップＳ５０２では、コンティニュアスＡＦを行うためのフォーカスレンズの駆動条件の決定処理が行われ、フォーカスレンズの駆動について、スタート及びストップ及びフェードアウトの３つの決定がメモリ３０を介して伝達される。詳細については図６を用いて後述する。
【００７０】
ステップＳ５０３は、ステップＳ５０２で決定したフォーカスレンズの駆動条件に従った条件分岐である。システム制御回路５０は、ステップＳ５０２でメモリ３０に記憶されたフラグを参照し、スタートというフラグが記憶されていた場合は、フォーカスレンズの駆動と判定してステップＳ５０４へ進む。一方、ストップというフラグが記憶されていた場合はフォーカスレンズの駆動停止と判定してステップＳ５１１へ進む。他方、フェードアウトというフラグがメモリ３０に記憶されていた場合は、ストップと同様に判定し、ステップＳ５１１へ進む。
【００７１】
ステップＳ５０４では、システム制御回路５０は、フォーカスレンズを駆動してコンティニュアスＡＦ動作を開始する。メモリ３０には、コンティニュアスＡＦの実行動作フラグが格納されている。コンティニュアスＡＦが停止中だった場合には、コンティニュアスＡＦ実行中のフラグが立ち、すでにコンティニュアスＡＦが実行中であった場合にはフラグはそのままとする。
【００７２】
ステップＳ５０５では、システム制御回路５０は、ステップＳ５０２で決定したフォーカスレンズの駆動条件に応じて、測距制御手段４２を使用して撮影レンズ１０のフォーカシングを制御し、フォーカスレンズを所定量移動させる。ステップＳ５０６では、システム制御回路５０は、ステップＳ４０３で撮像素子１４からＡ／Ｄ変換器１６を通して読み出された信号処理データを画像処理回路２０に輝度信号の高周波成分を抽出させ、これを焦点評価値としてメモリ３０に記憶する。ステップＳ５０７では、システム制御回路５０は、ステップＳ５０６においてメモリ３０に記憶した焦点評価値の中からピークを検出する。
【００７３】
ステップＳ５０８では、システム制御回路５０は、ピークを検出できたかどうかを判断し、ピークが検出できた場合（ステップＳ５０８でＹＥＳ）、ステップＳ５０９に進む。一方、ピークが検出できなかった場合（ステップＳ５０８でＮＯ）、コンティニュアスＡＦ処理を終了してステップＳ４０６に復帰（リターン）する。
【００７４】
ステップＳ５０９では、システム制御回路５０は、ステップＳ５０７において検出した焦点評価値のピークを示す位置へフォーカスレンズを移動させる。次いで、ステップＳ５１０において、システム制御回路５０は、コンティニュアスＡＦの実行動作フラグを停止中としてメモリ３０に記憶してコンティニュアスＡＦ処理を終了しステップＳ４０６に復帰する。
【００７５】
ステップＳ５１１では、システム制御回路５０は、メモリ３０に格納されているコンティニュアスＡＦの実行動作フラグが動作中（実行中）であるか否かを判断し、実行中である場合にはステップＳ５１２に進む。一方、停止中である場合にはコンティニュアスＡＦ処理を終了してステップＳ４０６に復帰する。
【００７６】
ステップＳ５１２は、メモリ３０のコンティニュアスＡＦ実行動作フラグが実行中の場合に、撮像装置１００が第１のモードか、第２のモードかの条件分岐である。システム制御回路５０は、メモリ３０に格納されたコンティニュアスＡＦの停止方法のモード設定を参照し、第１のモードである場合にはステップＳ５１３に進む。一方、第２のモードである場合にはステップＳ５０４に進む。すなわち、ステップＳ５０２においてフェードアウトと決定された場合については、フォーカスレンズを駆動するように駆動条件を設定しておく。実際に駆動するかどうかについてはコンティニュアスＡＦの停止方法のモード設定に委ねられている。
【００７７】
第１のモードのときは、システム制御回路５０は、コンティニュアスＡＦの実行動作フラグを停止中としてメモリ３０に記憶してコンティニュアスＡＦ処理を終了（ステップＳ５１３）し、ステップＳ４０６に復帰する。一方、第２のモードのときは、ステップＳ５０２におけるフォーカスレンズの駆動条件に従ってコンティニュアスＡＦ処理を実行する（ステップＳ５０４）。
【００７８】
図６は、図５のステップＳ５０２におけるコンティニュアスＡＦを行うためのフォーカスレンズの駆動条件の決定処理の詳細を示すフローチャートである。
【００７９】
図６において、ステップＳ６０１では、システム制御回路５０は、メモリ３０に格納されている音声データを取得し、平均マイクレベルを求める。平均マイクレベルは、音声データの音圧レベルを単位時間当たりに計算した値である。メモリ３０には、一定量の音声データが蓄積されており、蓄積された音声データから平均マイクレベルが計算される。そして、システム制御回路５０は、算出した平均マイクレベルをメモリ３０に格納してステップＳ６０２に進む。
【００８０】
ステップＳ６０２では、システム制御回路５０は、ステップＳ６０１にて算出した平均マイクレベルに基づき、メモリ３０に一定量の音声データが蓄積されていたか否かを判別する（音声データ蓄積量判別）。メモリ３０に格納されていた音声データが一定量以上蓄積されていないときは、音声データのサンプリングが不足しており、平均マイクレベルの信頼性が低いと判断してステップＳ６０３に進む一方、一定量以上の蓄積がある場合にはステップＳ６０５に進む。なお、メモリ３０内の音声データが蓄積量には、音声データの蓄積時間に基づいて判定するように構成しても、メモリ３０の残量に基づいて判定するように構成してもよい。
【００８１】
ステップＳ６０３では、システム制御回路５０は、平均マイクレベルの信頼性が低い場合には静音状態であると判断して、測距制御手段４２にフォーカスレンズの駆動条件を停止速度に設定し、ステップＳ６０４に進む。ステップＳ６０４では、システム制御回路５０は、コンティニュアスＡＦのストップという結果（フラグ）をメモリ３０に記憶することで、コンティニュアスＡＦのためのフォーカスレンズの駆動条件を決定し、ステップＳ５０３に復帰する。なお、ここでのコンティニュアスＡＦのストップは、ステップＳ４０５における第１のモードである。
【００８２】
一方、ステップＳ６０５では、システム制御回路５０は、ステップＳ６０１で求めた平均マイクレベルをメモリ３０から取得し、騒音状態か静音状態かを判断する（第１の判断）。撮像装置１００の周囲が騒音状態か静音状態かを判別するために、マイク７１により周期的に周囲の音を取得し、その音圧レベルのサンプリングを行う。計測した周囲音の音圧レベルと時間との関係の一例を図７〜図９に示す。
【００８３】
システム制御回路５０は、図７に示すように、平均マイクレベルに基づいて、所定の音圧レベル以上の周囲音が一定時間以上検出されたと判断した場合、騒音状態と判断する。一方、図８に示すように、平均マイクレベルに基づいて、所定の音圧レベル未満の周囲音が一定時間以上検出されたと判断した場合、システム制御回路５０は静音状態と判断する。なお、図９は、入力音圧レベルが短時間のうちに突発的に変化した場合を示しており、音圧レベルが所定のレベルを超える場合であっても過渡的な増大である場合には騒音状態とは判断しない。入力音圧レベルが突発的に減少した場合についても同様に静音状態とは判断しない。
【００８４】
図６に戻り、システム制御回路５０は、上記判断方法により騒音状態であると判断した場合にはステップＳ６０６に進み、静音状態である場合にはステップＳ６０９に進む。
【００８５】
ステップＳ６０６では、システム制御回路５０は、図１０、図１２、図１４、及び図１５に示すような、フォーカスレンズの駆動速度とフォーカスレンズの駆動時に発生する騒音の特性を参照し、規則性があるか否かを判断する（第２の判断）。なお、図示例の特性図のデータは、メモリ３０や不揮発性メモリ５６等に予め格納されているものとする。例えば、図１０に示すようにフォーカスレンズの駆動速度が上がっていくに従って発生騒音が増大するようなリニア特性である（規則性のある）場合は、ステップＳ６０７に進む。一方、図１２に示すように非リニア特性である（規則性がない）場合はステップＳ６０８に進む。
【００８６】
図１０は、駆動速度が増大するのに従って発生する騒音の音圧レベルが増大していく様子を示しており、この関係をリニア特性とする。なお、図１０〜図１５に示すグラフのＸ軸はフォーカスレンズの駆動速度［ｐｐｓ］、Ｙ軸はフォーカスレンズ駆動時の発生騒音［ｄＢ］である。
【００８７】
一方、図１２は、フォーカスレンズの駆動速度によって共振点などがあり、特定の駆動速度のときにだけ高い騒音を発する場合には、リニア特性に関係にないとする。なお、図１２において、特定の駆動速度において高い騒音を発する区間を特殊騒音区間とする。図１２はＸ軸はフォーカスレンズの駆動速度、Ｙ軸はフォーカスレンズ駆動時の発生騒音である。
【００８８】
図６に戻り、ステップＳ６０７では、システム制御回路５０は、騒音状態におけるリニア特性でのフォーカスレンズの駆動条件を設定し、ステップＳ６１１へ進む。具体的には、測距制御手段４２に対して、フォーカスレンズ駆動時の発生騒音が周囲音よりも低くなるようにフォーカスレンズの駆動条件を設定する。騒音状態では、外部騒音よりも低い発生騒音となる最も速い駆動速度で制御し、これを高速制御とする。騒音状態におけるリニア特性でのフォーカスレンズの駆動速度を決定する方法を図１１に示す。
【００８９】
図１１において、図１０に示す特性（図示の点線）に対して、フォーカスレンズの駆動速度を低下させる方向（Ｘ軸方向）に一律シフトした特性（図示の実線）になるように、周囲音に対するフォーカスレンズの駆動速度のテーブルを作成する。測距制御手段４２は、作成された駆動速度のテーブルをフォーカスレンズの駆動条件として、フォーカスレンズの駆動制御を行う。これにより、周囲音が一定レベル以上の騒音状態にある場合、周囲音より発生騒音の少ない駆動速度で制御することが可能となる。
【００９０】
図６に戻り、ステップＳ６０８では、システム制御回路５０は、騒音状態における非リニア特性でのフォーカスレンズの駆動条件を設定し、ステップＳ６１１へ進む。具体的には、測距制御手段４２に対して一定の駆動速度となるように駆動条件を設定する。本発明では、一定の駆動速度での制御を定速制御とし、騒音状態における非リニア特性における定速制御については図１４と図１５を用いて後述する。
【００９１】
ステップＳ６１１では、システム制御回路５０は、コンティニュアスＡＦのスタートという結果（フラグ）をメモリ３０に記憶することで、コンティニュアスＡＦのためのフォーカスレンズの駆動条件を決定し、ステップ５０３に復帰する。
【００９２】
ステップＳ６０９では、ステップＳ６０６と同様の判断処理（第２の判断）を行い、リニア特性である（規則性のある）場合はステップＳ６１０に進み、非リニア特性である（規則性がない）場合はステップＳ６１２に進む。
【００９３】
ステップＳ６１０では、システム制御回路５０は、静音状態におけるリニア特性でのフォーカスレンズの駆動条件を設定して、ステップＳ６１１へ進む。具体的には、測距制御手段４２に対して、図１１を用いて説明したように、フォーカスレンズ駆動時の発生騒音が十分に低い音量となるようにフォーカスレンズの駆動条件を設定する。静音状態では、外部騒音に対して発生騒音が十分に低い音量となる駆動速度で制御し、これを低速制御とする。静音状態ではフォーカスレンズ駆動時の発生騒音が目立たぬように、少なくとも外部騒音に対して６［ｄＢ］以上の余裕を持った駆動速度とする。
【００９４】
ステップＳ６１２では、システム制御回路５０は、静音状態における非リニア特性でのフォーカスレンズの駆動条件を設定して、ステップＳ６１３へ進む。具体的には、測距制御手段４２に対して、図１３を用いて説明したように、フォーカスレンズの駆動速度が一定の駆動速度となるようにフォーカスレンズの駆動条件を設定する。ステップＳ６１３では、システム制御回路５０は、コンティニュアスＡＦのフェードアウトという結果（フラグ）をメモリ３０に記憶することで、コンティニュアスＡＦのためのフォーカスレンズの駆動条件を決し、ステップＳ５０３にリターンする。なお、ここでのコンティニュアスＡＦのフェードアウトはステップＳ４０５における第２のモードである。
【００９５】
ここで、騒音状態における非リニア特性（例えば、特殊騒音区間を持つ場合）でのフォーカスレンズの駆動速度を決定する方法を図１３を用いて説明する。
【００９６】
図１３において、図１２に示す特性（図示の点線）に対して、駆動速度を低下させる方向（Ｘ軸方向）に一律シフトした特性（図示の実線）にすると共に、予め特殊騒音区間をカットした状態でシフトさせ、周囲音に対する駆動速度のテーブルを作成する。測距制御手段４２は、作成された駆動速度のテーブルをフォーカスレンズの駆動条件として、フォーカスレンズの駆動制御を行う。特殊騒音区間にあたる部分は駆動禁止速度とし、外部騒音によって駆動禁止速度に入るような場合は駆動禁止速度の遅い側の端に寄せることで、外部騒音よりも発生騒音を少なくするように制御することが可能である。
【００９７】
図１４は、フォーカスレンズの駆動速度と発生騒音の関係において、規則性があるが駆動速度を遅く制御しても発生騒音が減少しないケースを示している。フォーカスレンズの駆動系が図示のようなフラットな特性を持つ場合、フォーカスレンズの駆動条件を変更することによりフォーカスレンズの駆動速度を変更して発生騒音を制御できない。そこで、消費電力と合焦に至るまでの時間から予め所定の駆動速度を定め、フォーカスレンズの駆動を定速制御とする。
【００９８】
図１５は、フォーカスレンズの駆動速度と発生騒音の関係において、規則性が認められないケースを示している。フォーカスレンズの駆動系が図示のような不規則な特性を持つ場合、単純にフォーカスレンズの駆動速度を低下させることで発生騒音を減少させることができないため、図１４に示す場合と同様に、所定の駆動速度を定め、定速制御とする。
【００９９】
上実施形態によれば、音声の記録を伴う動画撮影時に、フォーカスレンズを駆動することによるモーターやギアの機械音が雑音として録音されてしまう現象を回避しながら、ＡＦ処理によるピントの合った動画記録を実現することが可能となる。
【０１００】
なお、上記実施形態の説明においては、動画の撮影中にフォーカスレンズの駆動条件やＡＦ処理のシーケンスを制御する方法について説明したが、これに限定されるものでは無い。例えば、動画の撮影待機状態や静止画撮影時のファインダー状態において本実施例で説明した同様の方法を用いることも可能である。
【０１０１】
また、システム制御回路５０は、騒音状態から静音状態へ変化したと判断した場合、直ちにフォーカスレンズの駆動を停止するように構成しても、所定のフォーカスレンズの駆動制御が終わった時点でフォーカスレンズの駆動を停止するように構成してもよい。
【０１０２】
また、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施の形態の機能を実現することになり、そのプログラムコード及び該プログラムコードを記憶した記憶媒体は本発明を構成することになる。
【０１０３】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１０４】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【符号の説明】
【０１０５】
１４  撮像素子
２０  画像処理回路
３０  メモリ
４２  測距制御手段
５０  システム制御回路
５４  表示部
６０  モードダイアルスイッチ
６１  動画ボタン
７１  マイク
１００  撮像装置
２００，２１０  記録媒体
【図１】
2010160323.tif 000003
【図２】
2010160323.tif 000004
【図３】
2010160323.tif 000005
【図４】
2010160323.tif 000006
【図５】
2010160323.tif 000007
【図６】
2010160323.tif 000008
【図７】
2010160323.tif 000009
【図８】
2010160323.tif 000010
【図９】
2010160323.tif 000011
【図１０】
2010160323.tif 000012
【図１１】
2010160323.tif 000013
【図１２】
2010160323.tif 000014
【図１３】
2010160323.tif 000015
【図１４】
2010160323.tif 000016
【図１５】
2010160323.tif 000017